(57)【要約】【課題】本発明は、金属部材に固定対象部品を安定して取り付けることができる。【解決手段】本発明は、金属部材としての板金部材１５に設けられた貫通孔１６よりも大きい面積でなり、板金部材１５の背面１５Ａに対して当接する当接面２５Ａを有する当接部材としての板状部材２５と、螺子１０を嵌入する螺子穴３Ａを板金部材１５の前面１５Ｂから突出させると共に、スピーカボックス６に設けられた固定孔７に挿入された状態で螺子１０によって螺子止めされることにより、螺子１０の螺子頭１０Ａと当接面２５Ａとの間に板金部材１５及び固定孔７の周辺を挟み込むボス３とを有するようにする。【選択図】図９
2009044244.tif 000002
【特許請求の範囲】
【請求項１】
板状の金属部材の前面に固定対象部品を固定する際に用いられる取付部材であって、
上記金属部材に設けられた貫通孔よりも大きい面積でなり、上記金属部材の背面に対して当接する当接面を有する当接部材と、
上記当接面から突出して設けられ、上記背面から上記貫通孔に挿入された際、螺子を嵌入する螺子穴を上記金属部材の前面から突出させると共に、上記固定対象部品に設けられた固定孔に挿入された状態で上記螺子によって螺子止めされることにより、上記螺子の螺子頭と上記当接面との間に上記金属部材及び上記固定孔の周辺部分を挟み込むボスと
を具えることを特徴とする取付部材。
【請求項２】
上記ボスは、
上記当接面において回転対称となるように複数形成されている
ことを特徴とする請求項１に記載の取付部材。
【請求項３】
上記当接部材に連接して設けられ、上記貫通孔に係合して上記取付部材を上記金属部材に仮止めする係合部
を具えることを特徴とする請求項１に記載の取付部材。
【請求項４】
上記係合部は、
上記当接面から垂直に突出して設けられており、上記係合部の先端部分に上記当接面に平行な背面である先端背面を有する爪先端部が形成されている
ことを特徴とする請求項３に記載の取付部材。
【請求項５】
上記当接部材は、
当該当接部材の縁を棒状に残すような変形孔を形成することにより、当該縁に弾性を持たせ、
上記係合部は、
上記縁に連接して設けられている
ことを特徴とする請求項３に記載の取付部材。
【請求項６】
上記爪先端部は、
根元側に向かって広がるように前面である先端前面が傾斜している
ことを特徴とする請求項４に記載の取付部材。
【請求項７】
上記係合部は、
上記ボスが上記固定孔に挿入される際、上記当接面における内側方向に上記固定孔の周辺部分を対向させ、
上記爪先端部は、
上記当接面における外側方向に形成されており、上記係合部から突出する先端背面の突出高さが、当該突出高さと同一方向における上記係合部と上記固定対象部品との距離よりも大きい
ことを特徴とする請求項４に記載の取付部材。
【請求項８】
上記ボスは、
２つ形成されており、
上記係合部は、
上記当接面において上記ボス間の中間を通る直線上に２つ形成されている
ことを特徴とする請求項３に記載の取付部材。
【請求項９】
上記当接部材は、
板状でなる
ことを特徴とする請求項１に記載の取付部材。
【請求項１０】
上記固定対象部品は、
スピーカを箱内に納めたスピーカボックス、又はスピーカ単体である
ことを特徴とする請求項１に記載の取付部材。
【請求項１１】
板状の金属部材と、
上記金属部材の前面に固定されるスピーカボックスと、
上記金属部材に設けられた貫通孔よりも大きい面積でなり、上記当接面が上記金属部材の上記背面に対して当接する当接面を有する当接部材と、螺子を嵌入する螺子穴を有し、上記当接面から突出して設けられ、上記背面から上記貫通孔に挿入されて螺子を嵌入する螺子穴を上記金属部材の前面から突出させると共に、上記スピーカボックスに設けられた固定孔に挿入された状態で上記螺子によって螺子止めされることにより、上記螺子の螺子頭と上記当接面との間に上記金属部材及び上記固定孔の周辺を挟み込むボスとを有するスピーカ取付部材と
を具えることを特徴とする表示装置。
【請求項１２】
上記取付部材は、
２つの上記ボスと、
上記当接部材に連接し、上記当接面において上記２つのボスの中間を通る直線上に２つ設けられ、上記貫通孔に係合して上記取付部材を上記金属部材に仮止めする係合部と
を有し、
上記貫通孔は、
上記２つのボスを貫通する一のボス貫通部と、上記直線と垂直な方向において上記係合部とほぼ同一幅で設けられ、上記係合部を係合する矩形状の２つの係合受部
ことを特徴とする請求項１１に記載の表示装置。
【発明の詳細な説明】
【技術分野】
【０００１】
本発明は、取付部材及び表示装置に関し、例えば液晶やリアプロジェクションなどの各種方式でなるテレビジョン装置に適用して好適なものである。
【背景技術】
【０００２】
従来、テレビジョン装置においては、音声を出力するためのスピーカを箱状に形成（以下、これをスピーカボックスと呼ぶ）すると共に、例えばキャビネットやシャーシなどのスピーカを取り付ける対象となる部品（以下、これをスピーカ固定部品と呼ぶ）に固定して取り付けるようになされたものが提案されている（例えば特許文献１参照）。
【０００３】
このテレビジョン装置では、樹脂製でなるキャビネットから突出させて形成されたボスに対し、ダンパー効果を持たせるためのクッション材が挟まれた状態で、スピーカボックスに形成された固定孔とボスとに螺子が挿入されて螺子止めされることにより、スピーカ固定部品に対して当該スピーカボックスが取り付けられるようになされている。
【特許文献１】特開２００６−１０９３７５公報
【発明の開示】
【発明が解決しようとする課題】
【０００４】
しかしながら金属製でなるスピーカ固定部品（以下、これをスピーカ固定金属部材と呼ぶ）においては、製造上、上述したようなボス又はその代替となるような形状に形成することは困難である。
【０００５】
そこで、かかるスピーカ固定金属部材にスピーカボックスを固定するテレビジョン装置では、図１に示すように、スピーカ固定金属部材１に対し螺子２を用いてボス３を有する樹脂製のスピーカ取付部材４が固定される。さらにスピーカボックス６の上部に設けられた固定孔７に対してボス３を貫通させると共に、当該ボス３に対してワッシャ８及びクッション材９を介して螺子１０が嵌入されて螺子止めされることにより、スピーカ固定金属部材１にスピーカボックス６が固定されるようになされている。
【０００６】
すなわちこのテレビジョン装置では、スピーカボックス６がスピーカ固定金属部材１に直接固定されるのではなく、螺子２の中心部分の断面図である図２（Ａ）に示すように、当該スピーカ固定金属部材１にスピーカ取付部材４が固定され、さらに螺子１０の中心部分の断面図である図２（Ｂ）に示すように、当該スピーカ取付部材４に対してスピーカボックス６がいわば積み重ねて固定されている。
【０００７】
換言すれば、スピーカ取付部材４が取り付けられたスピーカボックス６を、螺子２のみでスピーカ固定金属部材１に固定することになり、スピーカ固定金属部材１にスピーカボックス６を必ずしも安定して固定できないという問題があった。
【０００８】
本発明は以上の点を考慮してなされたもので、金属部材に固定対象部品を安定して取り付けることのできる取付部材及び当該取付部材を用いた表示装置を提案しようとするものである。
【課題を解決するための手段】
【０００９】
かかる課題を解決するため本発明においては、板状の金属部材の前面に固定対象部品を固定する際に用いられる取付部材であって、金属部材に設けられた貫通孔よりも大きい面積でなり、金属部材の背面に対して当接する当接面を有する当接部材と、当接面から突出して設けられ、背面から貫通孔に挿入された際、螺子を嵌入する螺子穴を金属部材の前面から突出させると共に、固定対象部品に設けられた固定孔に挿入された状態で螺子によって螺子止めされることにより、螺子の螺子頭と当接面との間に金属部材及び固定孔の周辺部分を挟み込むボスとを設けるようにした。
【００１０】
これにより取付部材は、螺子によって当該取付部材自身を金属部材に固定すると同時に固定対象部品を固定することができる。
【００１１】
板状の金属部材と、金属部材の前面に固定されるスピーカボックスと、金属部材に設けられた貫通孔よりも大きい面積でなり、当接面が金属部材の背面に対して当接する当接面を有する当接部材と、螺子を嵌入する螺子穴を有し、当接面から突出して設けられ、背面から貫通孔に挿入されて螺子を嵌入する螺子穴を金属部材の前面から突出させると共に、スピーカボックスに設けられた固定孔に挿入された状態で螺子によって螺子止めされることにより、螺子の螺子頭と当接面との間に金属部材及び固定孔の周辺を挟み込むボスとを有するスピーカ取付部材とを設けるようにした。
【００１２】
これにより取付部材は、螺子によって当該取付部材自身を金属部材に固定すると同時に固定対象部品を固定することができる。
【発明の効果】
【００１３】
本発明によれば、螺子によって当該取付部材自身を金属部材に固定すると同時に固定対象部品を固定することができ、かくして金属部材に固定対象部品を安定して取り付けることのできる取付部材及び当該取付部材を用いた表示装置を実現できる。
【発明を実施するための最良の形態】
【００１４】
以下、図面について、本発明の一実施の形態を詳述する。
【００１５】
（１）テレビジョン装置の全体構成
図３に示すように、１１は全体としてテレビジョン装置でなる。説明の都合上、図３では紙面手前側を背面、紙面奥側を前面として説明する。テレビジョン装置１１は、当該テレビジョン装置１１の外観を構成するキャビネット１３に対し、その背面に表示パネル部１４が嵌め込まれて構成されている。
【００１６】
図１と対応する部分に同一符号を附した図４は、キャビネット１３の内部構成を示している。表示パネル部１４には、周囲を囲むシャーシ１２が取り付けられると共に、当該シャーシ１２の右側及び左側に薄板状の金属板が所定形状に加工されてなる板金部材１５が取り付けられている。
【００１７】
板金部材１５は、スピーカ取付部材２２（斜線で示す）を用いることにより、その前面側にスピーカボックス６（斜線で示す）が取り付けられるようになされている。次に、このスピーカボックス６の取付について説明する。
【００１８】
（２）スピーカボックスの取付
図５（Ａ）及び（Ｂ）にスピーカ取付部材２２の形状を示している。このスピーカ取付部材２２は硬質の樹脂製でなり、例えば射出成型によって形成される。このスピーカ取付部材２２は矩形の板状部材２５における当接面２５Ａから、螺子穴３Ａを有し円筒状でなる２つのボス３が突出して設けられている。
【００１９】
またスピーカ取付部材２２は、当接面２５Ａにおける上側の中央付近及び下側の中央付近、すなわち２つのボス３間を２等分する鉛直な直線上に、２つの爪部２６が設けられている。この爪部２６は、板状部材２５から前面側へ突出しており、さらにその先端部分、外側（紙面上下側）面に外方へ突出する爪先端部２６Ａが設けられている。
【００２０】
爪先端部２６Ａの前面は背面側へ進むにつれて外側へ広がる斜面を形成する一方、爪先端部２６Ａの背面は当接面２５Ａとほぼ平行に形成されている。
【００２１】
さらに図６に示すようにスピーカ取付部材２２には、爪部２６からボス３側に突出する直方体形状のリブ２８（２８Ａ及び２８Ｂ、詳しくは後述する）が設けられている。スピーカ取付部材２２では、リブ２８Ａが上側の爪部２６の中心よりも左側に形成される一方、リブ２８Ｂが下側の爪部２６の中心よりも右側に形成され、リブ２８Ａ及び２８Ｂがいわば点対称となるように配置されている。
【００２２】
またスピーカ取付部材２２は、ボス３と爪部２６との間に、爪部２６の内側面及びリブ２８と連接して左右側に大きく開口する変形孔３０（上側に設けられた変形孔３０Ａ及び下側に設けられた変形孔３０Ｂ）を有している。
【００２３】
この変形孔３０は板状部材２５の当接面２５Ａから背面２５Ｂまでが同一の断面形状となるため、以下、変形孔３０を平面的な形状として説明する。また変形孔３０Ａについて説明し、上下方向に対称に配置され同様の構成を有する変形孔３０Ｂについての説明を省略する。なお変形孔３０Ｂ周辺の各パーツについては、例えば外辺３１Ａに対して外辺３１Ｂのように変形孔３０Ａに対応する符号の末尾にＡの代わりにＢを附して示している。
【００２４】
この変形孔３０Ａは、上側の外辺３１Ａがリブ２８Ａを中心として、Ｖ字状に僅かに傾斜している。また変形孔３０Ａの内辺３２Ａは、その左右両端部分において外辺３１Ａと同様に傾斜すると共に、中央へ向かうにつれてその傾斜が大きくなって外辺３１Ａとの距離が大きくなっている。さらに内辺３２Ａには、その中央に当該リブ２８Ａよりも大きい凹部でなるリブ受部３３Ａが設けられている。また外辺３１Ａと内辺３２Ａとがその端部で半円状にカーブすることにより滑らかに繋がれている。
【００２５】
すなわちスピーカ取付部材２２は、その縁部分（変形孔３０Ａの上側）を上下方向に薄くすることにより弾性を有する棒状の弾性部３５Ａを形成し、当該弾性部３５Ａから突出する爪部２６に対して内側方向ａ１に力が加えられると、当該弾性部３５Ａを弾性変形させることにより、変形孔３０Ａの空隙を利用して当該弾性部３５Ａを内側方向ａ１に変位させるようになされている。
【００２６】
このときスピーカ取付部材２２は、外辺３１Ａを傾斜させて弾性部３５ＡをＶの字状に形成していることにより、爪部２６周辺の肉厚を大きくして爪部２６の強度を確保しつつ、その左右側を薄くして弾性部３５Ａにより大きな弾性を持たせている。
【００２７】
また爪部２６の内側にリブ２８Ａを設けていることにより爪部２６を堅固にし、爪部２６に加えられた内側方向ａ１の力によって爪部２６をたわませることなく弾性部３５Ａに伝え、弾性部３５Ａを変形させることができる。
【００２８】
さらにスピーカ取付部材２２は、中央へ向かって内辺３１Ａ及び外辺３２Ａとの距離が段々大きくなるように変形孔３０Ａを形成し、かつリブ２８Ａと対向する位置に、当該リブ２８Ａよりも上下方向に深くなるようにリブ受部３３Ａを設けている。
【００２９】
これによりスピーカ取付部材２２は、弾性部３５Ａが内側方向ａ１に変位した際、外辺３１Ａの中央付近及び弾性部３５Ａから突出するリブ２８Ａを内辺３２Ａに当接させずに済み、弾性部３５Ａにおける当該リブ２８Ａ付近を最も大きく変位させ得る。
【００３０】
スピーカ取付部材２２は、爪部２６に加えられた内側方向ａ１の力が解放されると、弾性部３５Ａがその弾性力により元の形状に戻り、爪部２６が元の位置に戻るようになされている。
【００３１】
また図７に示すように、板金部材１５には貫通孔１６が設けられている。この貫通孔１６は、水平な左右方向に長い楕円状のボス貫通部１７と、当該ボス貫通部１７の上下側中央付近に連接し、ボス貫通部１７と交差する直線上に設けられた矩形状でなる２つの爪受部１８とを有している。このボス貫通部１７は、スピーカ取付部材２２の当接面２５Ａよりも小さく、かつ２つのボス３を貫通させる形状に形成されており、ボス３を貫通させるものの板状部材２５を貫通させないようになされている。
【００３２】
さらに図８に示すように、スピーカボックス６の上部には、板金部材１５に対してスピーカボックス６を固定するための固定部６Ａが設けられている。この固定部６Ａは、その上部に開口部７Ａを有する２つの固定孔７を有しており、当該２つの固定孔７間には、凹み部６Ｂが形成されている。
【００３３】
この固定孔７には、スピーカボックス６のがたつきを防止するための円筒状のクッション材９が嵌め込まれる。クッション材９は、弾性を有しており、中心の小径部分９Ａと両端の大径部分９Ｂから構成されている。
【００３４】
この小径部分９Ａは、その外径が固定孔７の内径とほぼ同一、その前背面方向の厚みが当該固定孔７とほぼ同一であり、固定孔７の内部を覆っている。また固定孔７の開口部７Ａが小径部分９Ａの直径よりも小さく形成されることにより、クッション材９が固定孔７から上側へ簡単に外れないようになされている。
【００３５】
このクッション材９は、固定孔７よりも大きい直径を有する大径部分９Ｂが固定部６Ａの前面側及び背面側から突出しており、固定孔７から前面側又は背面側へ脱落することを防止するようになされている。またクッション材９には、スピーカ取付部材２２のボス３の外径とほぼ同一の内径を有する中心孔９Ｃが設けられている。
【００３６】
そして図９及び図１０に示すように、板金部材１５にスピーカ取付部材２２が取り付けられる際、２つのボス３が左右方向に水平に並んだ状態で背面側から前面側に向けて当該２つのボス３がボス貫通部１７に挿入されると共に、爪受部１８に対して爪部２６が係合されることにより、当接面２５Ａが板金部材１５の背面１５Ａに当接した状態で仮固定される。
【００３７】
ここで貫通孔１６にスピーカ取付部材２２を押し込んでいくと、爪受部１８の上側縁部と下側縁部とに爪先端部２６Ａが押し当てられる。爪先端部２６Ａの前面が斜面になっており、かつ２つの爪部２６に連接する弾性部３５（図６）が弾性を有するため、さらに取付部材２２を貫通孔１６に押し込むと、弾性部３５が弾性変形して当該２つの爪部２６から突出する爪先端部２６Ａを内側方向ａ１に変位させることができ、貫通孔１６内に爪先端部２６Ａを挿入することができる。
【００３８】
貫通孔１６に対して爪先端部２６Ａが完全に押し込まれると、爪受部１８の上側縁部と下側縁部と爪部２６との間に空隙が生じるため、弾性部３５Ａの弾性力により爪部２６が元の位置に戻される。この結果、爪部２６の根元部分が爪受部１８の縁部に当接してスピーカ取付部材２２を上下側に変位させることを防止すると共に、爪先端部２６Ａが爪受部１８の前面に当接することにより爪部２６と爪受部１８とが係合し、スピーカ取付部材２２を背面側に脱落させることを防止することができる。
【００３９】
この２つの爪部２６が２つのボス３の間に引かれた直線上に設けられていることにより、当該２つの爪部２６を上下側から押さえたときに、爪部２６をボス３に当接させることなく、２つの爪部２６の間隔を十分に小さくすることができる。
【００４０】
また２つの爪受部１８は、板状部材２５の上下側に設けられた２つの爪部２６に対応する部分に、かつ左右方向に当該爪部２６とほぼ同一幅でなる矩形状で形成されていることにより、当該爪部２６及び爪受部１８を前面側から背面側及び上下側だけでなく、左右方向にも係止することができる。
【００４１】
これにより爪受部１８に対して爪部２６を係合するだけの簡単な操作により、スピーカ取付部材２２を板金部材１５に固定することができ、板金部材１５からボス３を突出させた状態にすることができる。なおこの状態はいわば仮固定であり、弾性部３５Ａ及び３５Ｂに上下から内側方向ａ１への力を加えると、爪部２６と爪受部１８の係合が解除され、スピーカ取付部材２２が板金部材１５から簡単に外れる状態にある。
【００４２】
そしてこのボス３に対して、スピーカボックス６の固定部６Ａが仮固定される。すなわち図１１に示すように、固定孔７に嵌め込まれた弾性を有するクッション材９の中心孔９Ｃに対しボス３が挿入されると共に、ワッシャ８が挿入された螺子１０がボス３の螺子穴３Ａに対して嵌入される。
【００４３】
このとき固定部６Ａは、固定孔７間に形成された凹み部６Ｂをスピーカ取付部材２２の爪部２６及び当該爪部２６から突出するリブ２８に対向させることにより、固定部６Ａにリブ２８が当接するのを防止し、ボス３を固定部６Ａに対してスムーズに挿入させるようになされている。
【００４４】
この仮固定されたスピーカ取付部材２２、板金部材１５及びスピーカボックス６の係合状態（図１１におけるＸＹ平面での断面図）を図１２に示す。なお図１２では便宜上、螺子１０を省略して示している。
【００４５】
この仮固定状態で螺子１０が回転され、ボス３の螺子穴３Ａに螺合されることにより、スピーカ取付部材２２にスピーカボックス６が螺子止めされるが、この螺子止めの際にスピーカ取付部材２２には力が加わることになる。
【００４６】
すなわち螺子止めされる過程において、スピーカ取付部材２２は、ボス３がスピーカボックス６の固定孔７に挿入されていることにより、スピーカボックス６を係止しており、既にボス３に対して螺子１０が途中まで螺合（図１１）されているため、スピーカボックス６がスピーカ取付部材２２から外れてしまう可能性はない。
【００４７】
一方仮固定状態において、スピーカ取付部材２２(図１２)は、爪部２６の爪先端部２６Ａが板金部材１５の爪受部１８に係合することにより、板金部材１５に係止されているだけであり、爪先端部２６Ａが当該爪先端部２６Ａの突出高さｈだけ内側方向ａ１に変位すると、板金部材１５と爪先端部２６Ａとの係合が解除され、板金部材１５から外れてしまう可能性がある。
【００４８】
ここでリブ２８と凹み部６Ｂとの間には、所定の間隙が形成されている。図１３（Ａ）に示すように、リブ２８は、凹み部６Ｂとリブ２８との上下方向における距離ｒが爪先端部２６の突出高さｈよりも小さくなるように形成されている。
【００４９】
これにより図１３（Ｂ）に示すように、スピーカ取付部材２２では、内側方向ａ１に力が加わる際、爪先端部２６Ａが突出高さｈだけ変位する前にリブ２８が凹み部６Ｂに当接する。このため爪先端部２６Ａと爪受部１８との係合が解除されることを防止でき、スピーカ取付部材２２が板金部材１５から外れることを防止できる。
【００５０】
このときリブ２８が爪部２６の中心よりも左右側にずれた位置に設けられているため、リブ２８が爪部２６の中心に設けられた場合と比較して、リブ２８と凹み部６Ｂとの距離ｒを縮めることができ、リブ２８を小さくすることができる。
【００５１】
また図１４に示すように、リブ２８が２つの爪部２６に対して左右逆側にそれぞれ設けられ、凹み部６Ｂと当接したリブ２８が互いに逆方向（白抜矢印で示す）に変位しようとして互いに変位しようとする力を相殺することができる。このためリブ２８が凹み部６Ｂの中心に変位して爪先端部２６Ａと爪受部１８との係合が解除されるのを防止し得るようになされている。
【００５２】
そして図１５に示すように、スピーカボックス６が螺子１０によって完全に螺子止めされることにより、スピーカボックス６がスピーカ取付部材２２を介して板金部材１５に固定される。
【００５３】
このとき螺子１０の中心部分の断面図である図１６に示すように、板金部材１５及びスピーカボックス６の固定部６Ａは、スピーカ取付部材２２の板状部材２５と螺子１０の螺子頭１０Ａとの間に挟まれる。
【００５４】
固定孔７周辺の固定部６Ａの厚みとクッション材９の２つの大径部分９Ｂの厚みとを足した厚みが、ボス３の長さよりも僅かに大きくなるように形成されているため、この状態で螺子１０が螺子止めされることにより、大径部分９Ｂが圧縮されて板金部材１５と固定部６Ａとがしっかりと固定され、固定状態となる。
【００５５】
このようにスピーカ取付部材２２は、板状部材２５を板金部材１５の背面側に配置し、ボス３を板金部材１５の前面側に突出させる。このため螺子１０が螺子止めされるときの力によってスピーカボックス６を固定するだけに留まらず、板金部材１５に対して板状部材２５を固定する力として用いることができ、螺子１０のみで板金部材１５に対してスピーカ取付部材２２とスピーカボックス６とを強固に固定することができる。
【００５６】
これにより従来のスピーカ取付部材４をスピーカ固定金属１（図１）に対して螺子２を用いて螺子止めした上で、さらにスピーカボックス６を螺子止めにより固定する方法とは異なり、スピーカボックス６の螺子止めと同時にスピーカ取付部材２２を板金部材１５に固定することができ、従来のスピーカ取付部材４を固定していた螺子２が不要となる。
【００５７】
さらにスピーカ取付部材２２は、板状部材２５を板金部材１５の背面側に配置したことにより、スピーカボックス６の重力による前面側下方向に対する荷重（白抜矢印で示す）に対して、板状部材２５の面全体を用いて抗することができる。
【００５８】
これにより従来の螺子２（図２（Ａ））のみで前面側下方向に対する荷重に抗していた従来のスピーカ取付部材４と比較して、板金部材１５とスピーカ取付部材２２との固定を一段と強固にすることができ、板金部材１５に対する固定が不安定であることに起因してスピーカボックス６自体が振動し、エネルギー損失により当該スピーカボックス６から出力される音声の音質が低下することを抑制し得るようになされている。
【００５９】
（３）動作及び効果
以上の構成において、スピーカ取付部材２２は、スピーカ固定金属部材としての板金部材１５に設けられた貫通孔１６よりも大きい面積でなり、板金部材１５の背面１５Ａに対して当接する当接面２５Ａを有する当接部材としての板状部材２５と、螺子１０を嵌入する螺子穴３Ａを板金部材１５の前面１５Ｂから突出させると共に、スピーカボックス６に設けられた固定孔７に挿入された状態で螺子１０によって螺子止めされることにより、螺子１０の螺子頭１０Ａと当接面２５Ａとの間に板金部材１５及び固定孔７の周辺を挟み込むボス３とを有するようにした。
【００６０】
これによりスピーカ取付部材２２は、螺子１０によって当該スピーカ取付部材２２自身を板金部材１５に固定すると同時にスピーカボックス６を固定することができ、スピーカボックス６を板金部材１５に安定して固定することができる。
【００６１】
またボス３が２つ形成されることにより、当該２つのボス３によってスピーカボックス６の荷重（重力）を均等に分散し、ボス３一つ当たりに加わる荷重を減少させることができるため、例えば外部から衝撃が加わった場合でもボス３の破損を防止でき、スピーカボックス６を板金部材１５に安定して固定することができる。
【００６２】
さらに板状部材２５に連接して設けられ、貫通孔１６に係合してスピーカ取付部材２２を板金部材１５に仮止めする係合部としての爪部２６を設けることにより、スピーカ取付部材２２を板金部材１５に仮止めすることができるため、螺子１０を螺子止めする作業を簡易にすることができる。
【００６３】
また爪部２６は当該爪部２６の根元から垂直に突出する爪先端部２６Ａを有することにより、背面側から前面側に加わる荷重に抗し得ると共に、当該爪先端部２６Ａがスピーカ取付部材２２の上下側にそれぞれ設けられていることにより、上下側に加わる荷重に抗し得るため、スピーカ取付部材２２を重力に抗して板金部材１５に仮止めすることができる。
【００６４】
スピーカ取付部材２２が回転対称に構成されることにより、当該スピーカ取付部材２２を上下側に逆さにした場合であってもその構成が変わらず、当該スピーカ取付部材２２を正しく取付けることができ、取付作業を容易化することができる。
【００６５】
さらに爪先端部２６は、爪部２６の先端から根元へ向けて広がるようにその前面を傾斜させているため、２つの爪部２６の間隔を縮めると共に、当該爪部２６の上下側を爪受部２８に当接させた状態で滑らせることにより、当該爪部２６を爪受部１８に簡単に係合させることができる。
【００６６】
またスピーカ取付部材２２は、爪部２６自体に弾性を持たせて爪先端部２６Ａを変位させるのではなく、変形孔３０Ａを設けて板状部材２５の縁部分である弾性部３５Ａを棒状にして弾性を持たせ、当該弾性部３５Ａを内側方向ａ１に変位させることにより、爪部２６の肉厚を確保して当該爪部２６の強度を向上することができる。
【００６７】
スピーカ取付部材２２は、爪部２６の内側面にリブ２８を有することにより、爪部２６を堅固にさせ、爪部２６の変形によって内側方向ａ１に加わる力が大きく減損することを防止できる。
【００６８】
これによりスピーカ取付部材２２が板金部材１５に取り付けられた状態から弾性部３５を大きく変形させて爪受部１８と爪先端部２６Ａとの係合を解除することができる。すなわち板金部材１５の背面からスピーカ取付部材２２の弾性部３５を挟み込むようにつまみ、そのまま背面側に引き抜くだけでスピーカ取付部材２２を取り外すことができる。例えばスピーカ取付部材２２を板金部材１５に取り付けた後にスピーカ取付部材２２の不具合を発見して当該スピーカ取付部材２２を簡易に交換することが可能となる。
【００６９】
さらに板状部材２５において変形孔３０の内辺３２をボス３の形状に沿うようにしてＶ字状に形成することにより、変形孔３０とボス３との距離を所定以上に保つことができ、板状部材２５がボス３をしっかりと保持した状態にすることができる。
【００７０】
またスピーカ取付部材２２は、ボス３が固定孔７に挿入される際、爪部２６を当接面２５Ａにおける内側方向ａ１に固定孔７の周辺部分である凹み部６Ａを対向させる。ここで爪先端部２６Ａが外側方向に突出して設けられており、爪部２６から突出する突出高さｈが、爪部２６の内側に当該爪部２６の一部として設けられたリブ２８とスピーカボックス６の凹み部６Ｂとの突出高さｈと同一方向における距離ｒよりも大きい。これにより、リブ２８と凹み部６Ｂとを当接させて爪先端部２６Ａの変位を抑えることができ、爪部２６と爪受部１８との係合が解除されるのを防止することができる。
【００７１】
さらにスピーカ取付部材２２は、２つのボス３が並列して配置され、２つの爪部２６が２つのボス３間を通る直線上に形成されていることにより、２つの爪部２６間の間隔を縮めたときに爪部２６をボス３に当接させることなく、当該爪部２６が貫通孔１６を貫通するのに必要な間隔を縮められないように邪魔することがない。
【００７２】
また２つの爪部２６は、２つのボス３を貫通させるボス貫通部１７と交差するように設けられた２つの爪受部１８に係合されることにより、スピーカ取付部材２２を水平方向にも係止することができるのに加え、ボス貫通部１７と爪受部１８を一つの貫通孔１６として形成させることができ、板金部材１５にボス貫通部１７及び爪受部１８を別々に設けさせる必要がないため、板金部材１５の製造工程を簡易にすることができる。また爪受部１８の内側にボス貫通部１７が連なって大きな孔を形成させるため、爪部２６を挿入する作業を容易にすることができる。
【００７３】
さらに板状部材２５が板状でなるため、板状部材２５として必要最小限の強度及び当接面２５Ａの面積を十分確保しつつ、スピーカ取付部材２２をできる限り小型化することができる。
【００７４】
また取り付けられる固定対象部品がスピーカボックス６であるため、当該スピーカボックス６を安定して取り付けることにより振動による音質の低下を防止でき、本発明の効果を存分に発揮することができる。
【００７５】
以上の構成によれば、スピーカ取付部材２２は、板金部材１５に設けられた貫通孔１６に当接面２５Ａから突出するボス３を貫通させ、板金部材１５の背面１５Ａに当接面２５Ａを当接させた状態で当該ボス３を板金部材１５の背面側から突出させると共に、当該ボス３にスピーカボックス６の固定孔７を貫通させた状態でボス３に設けられた螺子穴１０に螺子１０を螺合することにより、螺子頭１０Ａと当接面２５Ａとの間に挟まれた板金部材１５及びスピーカボックス６を同時に、かつ強固に固定することができ、かくして金属部材としての板金部材１５に固定対象部品としてのスピーカボックス６を安定して取り付けることのできる取付部材及び当該取付部材を用いた表示装置を実現することができる。
【００７６】
（４）他の実施の形態
なお上述の実施の形態においては、金属部材としての板金部材１５に固定対象部品としてのスピーカボックス６を取り付けるようにした場合について述べたが、本発明はこれに限らず、例えば金属部材としてのキャビネットに固定対象部品としての光ディスクドライブ等の各種電子部品を取り付けるようにしても良い。
【００７７】
また上述の実施の形態においては、スピーカ取付部材２２が２本のボス３を有するようにした場合について述べたが、本発明はこれに限らず、スピーカボックス６の形状や大きさ、重さなどに応じて１本又は３本以上のボスを有するようにしても良い。
【００７８】
さらに上述の実施の形態においては、スピーカ取付部材２２が板金部材１５に取り付けられたときに２本のボス３が左右方向に配置されるようにした場合について述べたが、本発明はこれに限らず、スピーカボックス６の形状や、板金部材１５の形状などに合わせて上下方向や斜め方向に配置されるようにしても良い。
【００７９】
さらに上述の実施の形態においては、スピーカ取付部材２２を仮止めするための係合部として爪部２６を有するようにした場合について述べたが、本発明はこれに限らず、必ずしも爪部２６を有する必要は無く、他の係合手法を用いることができる。
【００８０】
さらに上述の実施の形態においては、爪部２６から突出するリブ２８を設けるようにした場合について述べたが、本発明はこれに限らず、リブ２８を設けないようにしても上述した実施の形態と同様の効果を得ることができる。この場合、爪部２６と凹み部６Ｂとの距離ｒを突出高さｈよりも小さくするようにしても良い。
【００８１】
さらに上述の実施の形態においては、リブ２８が爪部２６の中心から左右方向にずれて配置されるようにした場合について述べたが、本発明はこれに限らず、例えば爪部２６の中心にそれぞれ配置するようにしても良い。
【００８２】
さらに上述の実施の形態においては、弾性を有する弾性部３５から爪部２６を連接して設けることにより、爪先端部２６Ａを変位させるようにした場合について述べたが、本発明はこれに限らず、例えば爪部２６Ａ自身が弾性を有することにより、爪先端部２６Ａを変位させるようにしても良い。
【００８３】
さらに上述の実施の形態においては、爪部２６が背面１５Ａに対して突出し、スピーカ取付部材２２の上下側にそれぞれ設けられているようにした場合について述べたが、本発明はこれに限らず、爪部２６の形状に制限は無く、例えば当接面１５から突出する突出部を係合部として設け、これを板金部材１５に設けられた係合孔に嵌入するようにしても良い。また、爪部２６の数や配置には制限はなく、例えば爪部２６を１箇所又は３箇所以上設けたり、ボス３と平行に設けるようにしても良い。
【００８４】
さらに上述の実施の形態においては、２つのボス３を貫通させるボス貫通部１７と２つの爪部２６を係合する爪受部１８とが一つの貫通孔１６として設けられるようにした場合について述べたが、本発明はこれに限らず、例えばそれぞれに対応する２つのボス貫通部１７と２つの爪受部１８とが設けられるようにしても良い。
【００８５】
さらに上述の実施の形態においては、当接部材としての板状部材２５が板状でなるようにした場合について述べたが、本発明はこれに限らず、当接面２５Ａを有していれば良く、例えば厚みを有する立方体形状を有するようにしても良い。
【００８６】
さらに上述の実施の形態においては、シャーシ１２に取り付けられた板金部材１５にスピーカ取付部材２２を介してスピーカボックス６を取り付けるようにした場合について述べたが、本発明はこれに限らず、例えば金属製でなるシャーシ１２にスピーカ取付部材２２を介してスピーカボックス６を取り付けても良い。
【００８７】
さらに上述の実施の形態においては、スピーカが箱内に収められたスピーカボックス
を固定対象部品として板金部材１５取り付けるようにした場合について述べたが、本発明にはこれに限らず、スピーカ単体を板金部材１５に取り付けるようにしても良い。
【００８８】
さらに上述の実施の形態においては、当接部材としての板状部材１と、ボスとしての
ボス３とから取付部材としてのスピーカ取付部材２２を構成するようにした場合について述べたが、本発明はこれに限らず、その他種々の構成でなる当接部材と、ボスとから本発明の取付部材を構成するようにしても良い。
【００８９】
さらに上述の実施の形態においては、金属部材としての板金部材１５と、固定対象部品のスピーカボックス６と、スピーカ取付部材２２とによって表示装置としてのテレビジョン装置１１を構成するようにした場合について述べたが、本発明はこれに限らず、その他種々の構成でなる金属部材と、スピーカボックスと、取付部材とによって本発明の表示装置を構成するようにしても良い。
【産業上の利用可能性】
【００９０】
本発明の取付部材は、例えばスピーカを内蔵する各種電子機器に利用することができる。
【図面の簡単な説明】
【００９１】
【図１】従来のスピーカボックスの取付（１）の説明に供する略線図である。
【図２】従来のスピーカボックスの取付（２）の説明に供する略線図である。
【図３】テレビジョン装置の外観構成を示す略線図である。
【図４】キャビネット内部の構成を示す略線図である。
【図５】スピーカ取付部材の構成（１）を示す略線図である。
【図６】スピーカ取付部材の構成（２）を示す略線図である。
【図７】ボス貫通孔の構成を示す略線図である。
【図８】固定部の構成を示す略線図である。
【図９】スピーカボックスの取付（１）の説明に供する略線図である。
【図１０】スピーカボックスの取付（２）の説明に供する略線図である。
【図１１】スピーカボックスの仮固定状態を示す略線図である。
【図１２】仮固定状態における爪部の説明に供する略線図である。
【図１３】リブと凹み部分と爪部との関係の説明に供する略線図である。
【図１４】２つのリブの関係の説明に供する略線図である。
【図１５】スピーカボックスの固定状態を示す略線図である。
【図１６】固定状態の略線的断面図である。
【符号の説明】
【００９２】
３……ボス、３Ａ……螺子穴、６……スピーカボックス、７……固定孔、８……ワッシャ、９……クッション材、１０……螺子、１０Ａ……螺子頭、１１……テレビジョン装置、１５……シャーシ、１６……貫通孔、１７……ボス貫通部、１８……爪受部、２２……スピーカ取付部材、２５……板状部材、２５Ａ……当接面、２６……爪部、３０……固定部。
【図１】
2009044244.tif 000003
【図２】
2009044244.tif 000004
【図３】
2009044244.tif 000005
【図４】
2009044244.tif 000006
【図５】
2009044244.tif 000007
【図６】
2009044244.tif 000008
【図７】
2009044244.tif 000009
【図８】
2009044244.tif 000010
【図９】
2009044244.tif 000011
【図１０】
2009044244.tif 000012
【図１１】
2009044244.tif 000013
【図１２】
2009044244.tif 000014
【図１３】
2009044244.tif 000015
【図１４】
2009044244.tif 000016
【図１５】
2009044244.tif 000017
【図１６】
2009044244.tif 000018